(57)【要約】  【課題】  大型の重量のある液晶テレビ等の薄型表示装置であっても、本体部を水平に倒すことなく、そのままの姿勢でスタンドの取り付け取り外しを可能にする。  【解決手段】  本体背面にほぼ垂直の取付座面４を設けておき、該取付座面４にスタンド１１の上端に形成された略垂直の取付板１４を当接してビスにより締結する薄型表示装置において、前記取付座面４の上端に手前側に突出した突き当て部を形成するとともに、前記取付座面４の左右端部に前記取付板１４の左右端を抱持するＬ型突起６，７を内側に向けて突設しておき、本体をスタンド１１に取り付ける際は、正立させたスタンド１１の上端の取付板１４を前記Ｌ型突起６，７の内側に挿入して突き当て部に当接させた状態でビスを螺着する。【選択図】  図１
2005352333.tif 000002
【特許請求の範囲】
【請求項１】
一方の面に表示用の部材を配し他方の面に薄型表示装置の駆動及び制御のためのユニットを配した、枠体を有するシャーシを有する薄型表示装置において、前記シャーシの枠体の相対する方向にブリッヂ状のアルミダイキャストフレームが架け渡され、該アルミダイキャストフレームのそれぞれの端部近傍がそれぞれの該アルミダイキャストフレーム端部近傍に位置する枠体に固定されていることを特徴とする薄型表示装置。
【請求項２】
請求項１に記載の薄型表示装置において、アルミダイキャストフレーム端部近傍の少なくとも一箇所に薄型表示装置を保持する保持体の取り付け部を設けたことを特徴とする薄型表示装置。
【請求項３】
本体背面の取付座面にスタンド上端の取付板を当接してビスにより締結する薄型表示装置において、
前記取付座面の上端に手前側に突出した突き当て部を形成するとともに、前記取付座面の左右端部に前記取付板の左右端を抱持するＬ型突起を内側に向けて突設しておき、本体をスタンドに取り付ける際は、正立させたスタンド上端の取付板を前記Ｌ型突起の内側に挿入して突き当て部に当接させた状態でビスを螺着することを特徴とする薄型表示装置。
【請求項４】
本体背面にほぼ垂直の取付座面を設けておき、該取付座面にスタンド上端に形成された略垂直の取付板を当接してビスにより締結する薄型表示装置において、
前記取付座面の上端に手前側に突出した突き当て部を形成するとともに、前記取付座面の左右端部に前記取付板の左右端を抱持するＬ型突起を内側に向けて突設しておき、本体をスタンドに取り付ける際は、正立させたスタンド上端の取付板を前記Ｌ型突起の内側に挿入して突き当て部に当接させた状態でビスを螺着することを特徴とする薄型表示装置。
【請求項５】
請求項３または４に記載の薄型表示装置において、
前記Ｌ型突起を取付座面の左右端部の上部に形成したことを特徴とする薄型表示装置。
【請求項６】
請求項３乃至５のいずれに記載の薄型表示装置において、
本体背面左右方向中央部の上端から下端にダイキャスト製のフレームを架け渡し、該フレームの下部に前記取付座面および突き当て部を形成したことを特徴とする薄型表示装置。
【請求項７】
請求項６に記載の薄型表示装置において、
前記取付座面およびＬ型突起を１枚の金属板により形成して前記フレームに螺着したことを特徴とする薄型表示装置。
【請求項８】
請求項６または７に記載の薄型表示装置において、
前記フレームの左右方向中央位置に壁掛け金具取り付け用の雌ねじ孔を形成したことを特徴とする薄型表示装置。
【発明の詳細な説明】
【技術分野】
【０００１】
本発明は、大画面の液晶テレビ等の薄型表示装置に関し、詳しくは、矩形状シャーシフレームの少なくとも対向する辺間にブリッヂ状のアルミダイキャストフレームを設けシャーシ剛性を持たせるとともに、アルミダイキャストフレームに本体を支持するスタンドを着脱自在に取り付けた薄型表示装置に関する。
【背景技術】
【０００２】
従来、液晶テレビ等の液晶表示装置では、バックライト装置を支えるシャーシをアルミダイキャスト製にすることにより、シャーシ全体の剛性を増し、反りや撓みの発生を防止していた。なお、従来、アルミダイキャスト製のフレームを用いた液晶表示装置として、特許文献１に記載のものが知られている。しかしながら、液晶表示装置のシャーシとして、アルミダイキャスト製のフレームを用いた場合は、寸法精度の必要な部分およびビス孔部分については、後加工として機械加工を施さなければならず、余分な工程とコストが増すという問題があるとともに、シャーシ部分の薄型化かつ軽量化にも限界があった。そのため、表示装置全体としての薄さ、重さにも悪影響を与えかねないという問題が残っていた。
一方、その改善策として、シャーシ部分を板金で構成することにより、必要以上の加工を削減することができるとともに、より薄型化、軽量化することが可能であるが、シャーシ部分を板金により構成した場合は、新たに、反りや撓みが発生しないように考慮する必要があった。
【０００３】
また、液晶テレビ等の液晶表示装置の設置形態として、薄型表示装置本体の背面にスタンドを取り付けて支持することがある。その場合、特に大型の薄型表示装置の場合は本体の重量を支えると同時に前後への転倒を防止することが必要となり、そのためのスタンド形状や薄型表示装置本体へのスタンド取付け方法が重要になる。従来の一般的なスタンド取付け方法は、生産現場では、薄型表示装置本体が組み立てられた後に、その背面下部に設けられた取付座に、別途製造されたスタンドの上部の取付面を組み付けており、また、ユーザーが薄型表示装置を購入された後に、サービスマンにより修理がなされる場合は、液晶テレビ本体をスタンドから取り外した後に分解していた。
なお、従来、薄型表示装置をスタンドにより支える技術としては、特許文献２に記載の「大画面薄型表示装置用スタンド」がある。
そこで、本発明は、反りや撓みを発生させることなく剛性を有しつつ液晶表示装置のシャーシの薄型軽量化を実現可能にすることを目的とし、更には薄型表示装置の転倒を防止するとともに薄型表示装置本体を支えるスタンドを薄型表示装置本体に作業性を改善しつつ強固に固定することを目的とする発明である。
【特許文献１】特開２００４−２１１０４号公報
【特許文献２】特開２０００−２１６５５３号公報
【発明の開示】
【発明が解決しようとする課題】
【０００４】
上述したように、シャーシ部分をダイキャストを使用せずに板金などで構成することにより、必要以上の加工を削減することができるとともに、より薄型化、軽量化することが可能であるが、シャーシ部分をダイキャストを使用せずに板金などにより構成した場合は、新たに、反りや撓みが発生しないように考慮する必要があった。
また、液晶テレビ本体の背面にスタンドを取り付けて支持する形態では、特に大型の薄型表示装置の場合は本体の重量を支えると同時に前後への転倒を防止することが必要となり、そのためのスタンド形状や薄型表示装置本体へのスタンド取付け方法が重要になるとともに、薄型表示装置がユーザーに購入された後に、サービスマンにより修理される場合、薄型表示装置本体をスタンドから取り外した後に薄型表示装置本体を分解しており、その際の手順としては、スタンドがついたままの薄型表示装置本体を持ち上げて表示画面側を下向き水平に倒してから、養生用のマットや毛布を敷いた床面等の水平面上に静かに載置した後、薄型表示装置本体の背面からスタンドを取り外し、さらに、修理が終了して組み立てる場合は、逆の手順で、薄型表示装置本体の背面にスタンドを取り付けてから薄型表示装置本体を持ち上げて垂直に戻していた。これらの作業は、薄型表示装置が小型軽量の場合は容易な作業であるが、大型の重量のあるものであると、薄型表示装置本体を持ち上げて水平に倒したり、また垂直に戻したりする作業は大変な労力を要した。そこで、本発明は、反りや撓みを発生させることなく剛性を有しつつ液晶表示装置のシャーシの薄型軽量化を実現可能にすることを目的とし、更には薄型表示装置の転倒を防止するとともに薄型表示装置本体を支えるスタンドを薄型表示装置本体に作業性を改善しつつ強固に固定するとともに大型の重量のある液晶テレビ等の薄型表示装置であっても、本体部を水平に倒すことなく、そのままの姿勢でスタンドの取り付け取り外しを可能にすることを目的とした。
【課題を解決するための手段】
【０００５】
上記課題を解決するために、本発明は、一方の面に表示用の部材を配し他方の面に薄型表示装置の駆動及び制御のためのユニットを配した、枠体を有するシャーシを有する薄型表示装置において、前記シャーシの枠体の相対する方向にブリッヂ状のアルミダイキャストフレームが架け渡され、該アルミダイキャストフレームのそれぞれの端部近傍がそれぞれの該アルミダイキャストフレーム端部近傍に位置する枠体に固定されていることを特徴とする。
また、本発明は、前記薄型表示装置において、アルミダイキャストフレーム端部近傍の少なくとも一箇所に薄型表示装置を保持する保持体の取り付け部を設けたことを特徴とする。
また、本発明は、本体背面の取付座面にスタンド上端の取付板を当接してビスにより締結する薄型表示装置において、前記取付座面の上端に手前側に突出した突き当て部を形成するとともに、前記取付座面の左右端部に前記取付板の左右端を抱持するＬ型突起を内側に向けて突設しておき、本体をスタンドに取り付ける際は、正立させたスタンド上端の取付板を前記Ｌ型突起の内側に挿入して突き当て部に当接させた状態でビスを螺着することを特徴とする。
また、本発明は、本体背面にほぼ垂直の取付座面を設けておき、該取付座面にスタンド上端に形成された略垂直の取付板を当接してビスにより締結する薄型表示装置において、前記取付座面の上端に手前側に突出した突き当て部を形成するとともに、前記取付座面の左右端部に前記取付板の左右端を抱持するＬ型突起を内側に向けて突設しておき、本体をスタンドに取り付ける際は、正立させたスタンド上端の取付板を前記Ｌ型突起の内側に挿入して突き当て部に当接させた状態でビスを螺着することを特徴とする。
なお、ここで、前記Ｌ型突起は取付座面の左右端部の上部に形成することが好ましい。
また、前記薄型表示装置において、本体背面左右方向中央部の上端から下端にダイキャスト製のフレームを架け渡し、該フレームの下部に前記取付座面および突き当て部を形成することも可能である。
さらに、前記取付座面およびＬ型突起を１枚の金属板により形成して前記フレームに螺着することも可能である。
なお、前記フレームの左右方向中央位置に壁掛け金具取り付け用の雌ねじ孔を形成しておくことも可能である。
【発明の効果】
【０００６】
以上述べたように本発明によれば、薄型表示装置本体側の取付座面の上端に手前側に突出した突き当て部を形成するとともに、前記取付座面の左右端部に前記取付板の左右端を抱持するＬ型突起を内側に向けて突設しておいたことで、本体をスタンドに取り付ける際は、正立させたスタンド上端の取付板を前記Ｌ型突起の内側に挿入して突き当て部に当接させた状態でビスを螺着することが可能となる。その結果、本体とスタンドの組み付けおよび分解する際に、本体を水平に倒す作業が不要となり、サービスマンの作業負担が軽減される。特に、大型の薄型表示装置の場合における組み付けおよび分解作業の労力が軽減される。
【発明を実施するための最良の形態】
【０００７】
以下、図に基づいて本発明の実施形態を液晶テレビに適用した場合に関し説明する。
図１〜図３は液晶テレビの外観図を表し、図４，５は液晶テレビの内部構成概要図を表し、図６〜図８は液晶テレビ本体内部のバックライトシャーシおよびフレームを示す図面であり、図９、１０は前記液晶テレビ本体に接続されるスタンドを示す図である。
図１〜図３において、１００は画像表示を行う液晶パネル、１０１は前キャビネット、１０２は後ろキャビネット、１０３は液晶テレビ本体の操作ボタン類、１０４はスピーカー、１０５はスタンドを表す。
【０００８】
次に、図４、５に基づいて液晶テレビの内部構成を説明する。液晶パネル１００は保持金具に保持され液晶パネルユニット１１０を構成し、その背面には反射／偏光シートやプリズムシートや拡散シートや拡散板などで構成する光学シート１１１がシート押えアングル１１２に保持され配置されている。バックライトシャーシ１１７の液晶パネル１００側には反射シート１１６が図示しないランプクリップで固定され、反射シート１１６の前面には、ランプホルダ上１１３とランプホルダ下１１４にて両端を固定された複数本のランプ１１５が配置されている。この部分の組み立て手順としては、バックライトシャーシ１１７の液晶パネル１００側にランプクリップにて反射シート１１６を固定した後にランプホルダ下１１４を、反射シート１１６を挟んでバックライトシャーシ１１７に固定する。次にランプ１１５をランプホルダ下１１４に所定間隔で設けられたランプ固定溝に左右の位置を合わせて配置した後、ランプホルダ上１１３を位置合わせの後にランプ１１５両端部を被せ、ランプホルダ上１１３とランプホルダ下１１４を固定することで、光源部分が完成する。次に、光学シート１１１が保持されたシート押えアングル１１２をバックライトシャーシ１１７にビス固定しその後に、事前に前キャビネット１０１に固定されている液晶パネルユニット１１０とバックライトシャーシ１１７とをビス固定することで、液晶テレビの表示光学系が前キャビネット１０１付きで完成する。
【０００９】
バックライトシャーシ１１７の背面(液晶パネル１００とは反対の面) には液晶パネル１００の駆動回路ユニットや、ランプ１１５駆動回路ユニットや、映像や音声信号の受信回路ユニットや信号処理回路ユニットなどの液晶テレビの駆動や各種制御のためのユニットが搭載され、これら一連の手順で構成された液晶テレビユニットを後キャビネット１０２で被い前キャビネット１０１とビス止め固定することで、液晶テレビ本体が完成する。
次に図６〜図１０に基づいてバックライトシャーシ１、フレーム３およびスタンド１０５の取付け方法の詳細に関し説明する。図６は液晶テレビ本体を構造的に支持するバックライトシャーシ１およびフレーム３の斜視図であり、図７はバックライトシャーシ１およびフレーム３の背面図であり、図８は図６および図７のフレーム３を単独で示した三面図である。また、図９は液晶テレビ本体の背面に取り付けられるスタンド１１（図１のスタンド１０５に相当）の外観を示し、図１０はスタンド１１の要部の拡大図である。ここで、バックライトシャーシ１は、断面コの字状に補強加工した鋼材を矩形の枠体に形成し、アルミ板の上下左右の辺の部分を矩形の枠体寸法に合わせて折曲して箱型に形成したうえで、枠体の上面、または側面に当接させてビス留めされている。
【００１０】
図６および図７に示されるように、液晶テレビ本体は、構造的にはバックライトシャーシ１により支持され、このバックライトシャーシ１の前方にバックライト装置および液晶パネル１００が支持され、その外側を前キャビネット２により覆われている。バックライトシャーシ１の左右方向中央部には、バックライトシャーシ１の上端と下端にアルミダイキャスト製のフレーム３がブリッジ状に架け渡されている。このフレーム３はバックライトシャーシ１を補強して液晶テレビ本体の剛性を増すとともに、下部に後述するスタンド１１を取り付けるための取付座面４が形成されている。
【００１１】
取付座面４は矩形状の鋼板からなり、フレーム３の下部の段差部５の下方に螺着されている。取付座面４を構成する鋼板の左右両端の上部を折り返して、内側に向けてＬ型突起６，７が形成されている。取付座面４には、スタンド１１を取り付けるために４個の雌ねじ穴８が形成されている。このように構成されたバックライトシャーシ１およびフレーム３は、後キャビネット９により覆われる構造をしている。
【００１２】
一方、上述した取付座面４に取り付けられるスタンド１１は、図９および図１０に示されるように、足１２の上方に支柱１３が立設され、その上端前方に取付板１４が形成されている。取付板１４は取付座面４と略同形の横長な矩形からなり、取付座面４の雌ねじ穴８に対応する位置にビスを挿通する取付孔１５が形成されている。取付板１４の左右方向の長さは、取付座面４のＬ型突起６，７の内側の寸法よりもやや短く形成されている。また、取付座面４の雌ねじ穴８に取付板１４の取付孔１５を一致させた状態で、取付板１４の上端がフレーム３の下部の段差部５に突き当たるように、互いの位置関係が形成されている。
【００１３】
このように構成されたスタンド１１に、上述したバックライトシャーシ１とフレーム３とにより支持された液晶テレビ本体を取り付ける場合は、図９（ｃ）のようにスタンド１１を正立させておき、そこへ、表示パネルを垂直すなわちバックライトシャーシ１およびフレーム３を垂直に保持した状態で液晶テレビ本体を持ち上げて、取付座面４と取付板１４が相対する向きになるようにしながら取付座面４を取付板１４の上方に移動する。次に、取付座面４のＬ型突起６，７の内側に、取付板１４が挿入されるように、取付座面４を下降させる。Ｌ型突起６，７の内側に取付板１４が挿入された状態で、取付座面４をさらに下降させると、取付板１４の上端が、突き当て部であるところの段差部５に突き当たる。
【００１４】
この状態で、液晶テレビ本体の自重を段差部５を介して取付板１４にあずける。次に、取付板１４の取付孔１５からビスを挿入して、取付座面４の雌ねじ穴８にビスをねじ込んで取付板１４と取付座面４を緊結する。これで、液晶テレビ本体のスタンド１１への取り付けが完了する。なお、液晶テレビ本体を、修理等のためにスタンド１１から取り外す場合は、上述した手順を反対にすることで、容易に取り外すことが可能となる。
【００１５】
このように本発明では、断面コの字状に補強加工した鋼材を矩形の枠体に形成し、アルミ板の上下左右の辺の部分を矩形の枠体寸法に合わせて折曲して箱型に形成したうえで、枠体の上面、または側面に当接させてビス留めされたバックライトシャーシ１の上端と下端にブリッジ状に架け渡されたアルミダイキャスト製のフレーム３に設けたことで、強度が増しより安定して液晶テレビ本体を支えることが可能となり、さらには、フレーム３を設けたことで、強度が増大した分、バックライトシャーシ１を軽量することが可能となり、フレーム３の重量増加分を差し引いても、液晶テレビ本体では軽量化が可能となる。
【００１６】
また、液晶テレビ本体をスタンド１１に取り付ける際に、液晶テレビ本体を液晶パネル面を下に傾けることなく、そのまま垂直方向保持したままで、取り付けられるため、作業が簡単になるととともに、作業場所も従来方法に比べると狭い場所で可能となる。その結果、サービスマンによる液晶テレビの修理作業が容易となる。なお、本発明では、液晶テレビをスタンド１１に取り付けるための取付座面４を、バックライトシャーシ１の上端と下端にブリッジ状に架け渡されたアルミダイキャスト製のフレーム３に設けたことで、強度が増しより安定して液晶テレビ本体を支えることが可能となる。なお、本実施形態においては薄型表示装置の保持方法としてスタンドに関して説明したが、他の保持方法として天吊り保持や壁掛け保持に対応する場合には、このフレーム３の上方端部や中央部分にそれぞれの保持方法に応じた保持冶具に合わせた保持部を形成することで可能となる。
【産業上の利用可能性】
【００１７】
本発明は、液晶テレビ以外にプラズマテレビ等の他の薄型表示装置にも利用可能である。
【図面の簡単な説明】
【００１８】
【図１】本発明に係る液晶テレビを斜め前上方から見た外観図である。
【図２】本発明に係る液晶テレビを斜め下後方から見た外観図である。
【図３】図２からスタンドを除去した状態を示す外観図である。
【図４】液晶テレビの内部構成を示す分解斜視図である。
【図５】図４の後部の構成を示す分解斜視図である。
【図６】液晶テレビ本体を構造的に支持するバックライトシャーシおよびフレームの斜視図である。
【図７】図６の背面図である。
【図８】図６および図７のフレームを単独で示した三面図である。
【図９】液晶テレビ本体の背面に取り付けられるスタンドを示す外観図である。
【図１０】図９の要部の拡大図である。
【符号の説明】
【００１９】
１  バックライトシャーシ
２  前キャビネット
３  フレーム
４  取付座面
５  段差部
６，７  Ｌ型突起
８  雌ねじ穴
９  後キャビネット
１０  雌ねじ穴
１１  スタンド
１２  足
１３  支柱
１４  取付板
１５  取付孔
１００  液晶パネル
１０１  前キャビネット
１０２  後ろキャビネット
１０３  操作ボタン類
１０４  スピーカー 
１０５  スタンド
１１０  液晶パネルユニット
１１１  光学シート
１１２  シート押えアングル
１１３  ランプホルダ上
１１４  ランプホルダ下
１１５  ランプ
１１６  反射シート
１１７  バックライトシャーシ
【図１】
2005352333.tif 000003
【図２】
2005352333.tif 000004
【図３】
2005352333.tif 000005
【図４】
2005352333.tif 000006
【図５】
2005352333.tif 000007
【図６】
2005352333.tif 000008
【図７】
2005352333.tif 000009
【図８】
2005352333.tif 000010
【図９】
2005352333.tif 000011
【図１０】
2005352333.tif 000012